(57)【特許請求の範囲】
【請求項１】
要介護者に装着すると共に介護リフトに掛止させて該介護リフトを使って要介護者の体重を免荷しつつ要介護者の歩行を支援するための介護リフト用装着具であって、
要介護者の腹部と背部との間に延びる左右の体重支持ストラップ(6)と、
要介護者の左右の大腿部の各々の周囲に巻回することにより装着可能な、前記体重支持ストラップ(6)が挿通可能なトンネル部(18,19,20)を要介護者の内股部分に備えた大腿部ベルト(16)とを有し、
前記体重支持ストラップ(6)は、要介護者の背部から下方に延びた後に前記大腿部ベルト(16)の前記トンネル部(18,19,20)を通過して要介護者の内股部分を通った後に要介護者の腹部まで上方に延び、
前記トンネル部(18,19,20)は滑り易い内面を有し、前記体重支持ストラップ(6)が要介護者の歩行の際の下肢の動きに追従して前記トンネル部(18,19,20)内を移動可能であることを特徴とする介護リフト用装着具。
【請求項２】
前記大腿部ベルト(16)が上方に向けて隆起した輪郭を有し、該上方に隆起した輪郭の部分で要介護者の臀部が下方から支持される、請求項１に記載の介護リフト用装着具。
【請求項３】
前記大腿部ベルト(16)は、前記トンネル部(18,19,20)が設けられた部分(22)が非伸縮素材で構成され、残る部分(23)が伸縮性素材で構成されている、請求項１又は２に記載の介護リフト用装着具。
【請求項４】
前記大腿部ベルト(16)は、前記トンネル部(18,19,20)が設けられた部分(22)の表面が滑り易い布地で構成されている、請求項３に記載の介護リフト用装着具。
【請求項５】
前記トンネル部が第１〜第３の３つに分割され、第１の分割トンネル部(18)が要介護者の内股部分の前側に位置し、第３の分割トンネル部(20)が要介護者の内股部分の後側に位置し、第２の分割トンネル部(19)が前記第１、第３の分割トンネル部(18,20)の間に位置している、請求項１〜４のいずれか一項に記載の介護リフト用装着具。
【請求項６】
要介護者に装着すると共に介護リフトに掛止させて該介護リフトを使って要介護者の体重を免荷しつつ要介護者の歩行を支援するための介護リフト用装着具であって、
要介護者の体幹部を包囲するベスト又はコルセットの形状の前開きの上着(12)と、
該上着(12)に縫い付けられて、要介護者の腹部と背部との間に延びる左右の体重支持ストラップ(6)と、
前記上着(12)の下端部に脱着可能に連結され、要介護者の左右の大腿部の各々の周囲に巻回することにより装着可能な、前記体重支持ストラップ(6)が挿通可能なトンネル部(18,19,20)を要介護者の内股部分に備えた大腿部ベルト(16)とを有し、
前記体重支持ストラップ(6)は、要介護者の背部から下方に延びた後に前記大腿部ベルト(16)の前記トンネル部(18,19,20)を通過して要介護者の内股部分を通った後に要介護者の腹部まで上方に延び、
前記トンネル部(18,19,20)の内面が滑り易い材料で作られ又は該内面に滑り易い加工が施されて、前記体重支持ストラップ(6)が要介護者の歩行の際の下肢の動きに追従して前記トンネル部(18,19,20)内を移動可能であることを特徴とする介護リフト用装着具。
【請求項７】
前記大腿部ベルト(16)から上方に延びる帯状の拡大部分(24)を有し、該拡大部分(24)が要介護者の臀部の側部に位置し、
該帯状の拡大部分(24)が前記上着(12)に脱着可能であると共に該拡大部分(24)の長さ調整可能に前記上着(12)に連結されている、請求項６に記載の介護リフト用装着具。
【請求項８】
前記大腿部ベルト(16)が上方に向けて隆起した輪郭を有し、該上方に隆起した輪郭の部分で要介護者の臀部が下方から支持される、請求項７に記載の介護リフト用装着具。
【請求項９】
前記大腿部ベルト(16)は、前記トンネル部(18,19,20)が設けられた部分(22)が非伸縮素材で構成され、残る部分(23)が伸縮性素材で構成されている、請求項６〜８のいずれか一項に記載の介護リフト用装着具。
【請求項１０】
前記上着に縫い付けられた胸ベルト(3)と、
前記上着に縫い付けられた腰ベルト(4)とを更に有する、請求項６〜９のいずれか一項に記載の介護リフト用装着具。
【発明の詳細な説明】
【技術分野】
【０００１】
本発明は、歩行が困難になった要介護者に装着して、リフトを使って要介護者の体重を免荷しつつ自力で歩行することを支援するための介護リフト用装着具に関する。
【背景技術】
【０００２】
老化、疾病、障害によって歩行が困難になった要介護者を世話する介護者の労力軽減を主なる目的として介護リフトが開発されている（例えば特許文献１〜４）。
【０００３】
例えば、特許文献１は、左右一対のキャスター（前輪）と、モータによって駆動される左右一対の駆動輪（後輪）とを備え、アームを揺動させることで要介護者を吊り上げる介護リフトを開示している。特許文献２は、移動方向を転換するための駆動機構を備えた介護リフトを開示している。
【０００４】
介護リフトは、上述した走行式の介護リフト、天井に移動可能に設置した介護リフト、設置式の介護用リフトが知られているが、これらの介護リフトを使用するには、介護リフトのフックに掛止可能な装着具を要介護者を身に付けることが必要とされる（例えば特許文献５〜７）。
【０００５】
介護リフト用装着具は、使用目的や要介護者の障害度合いによって様々な形式の装着具が開発されている。例えば、特許文献５、６は、腰掛けた姿勢で要介護者を吊り上げることのできる装着具を開示しており、これらの装着具は、車椅子や便器の乗り降りに役立つことができる。
【０００６】
特許文献７は、要介護者の自立歩行や自立移乗を阻害しないことを目的として、腰ベルトから下方に延びる一対の体重支持ベルトを有し、この一対の体重支持ベルトは、要介護者の股間を通って背部から腹部に亘って延びる構成の装着具を開示している。
【特許文献１】特開２００１−３２７５５４号公報
【特許文献２】特開２００４−３３５３３号公報
【特許文献３】特開２００２−２００１２４号公報
【特許文献４】特開２００３−１５３９６６号公報
【特許文献５】特開２００３−３８５８４号
【特許文献６】特開２００３−１１６９３７号公報
【特許文献７】特開２００３−７９６７７号公報
【発明の開示】
【発明が解決しようとする課題】
【０００７】
歩行が困難になった要介護者の介護のための製品開発は、主に介護者の労力を軽減することを目的に行われてきた。しかし、特許文献７にも見られるように、もし要介護者の下肢に残存能力があるとすれば、介護者の労力を軽減しつつ要介護者の残存能力を引き出することのできる介護製品が望ましい。
【０００８】
本発明は、要介護者の下肢の残存能力を引き出すことのできる介護リフト用装着具を提供することを目的とする。
【０００９】
本発明の更なる目的は、立位訓練や歩行訓練などのリハビリテーションでも使用可能な介護リフト用装着具を提供することにある。
【００１０】
本発明の別の目的は、要介護者の下半身に対して過度の圧迫を与えることのない介護リフト用装着具を提供することにある。
【００１１】
本発明の更なる目的は、股関節や骨盤の可動性を損なうことのない介護リフト用装着具を提供することにある。
【００１２】
本発明の更なる目的は、要介護者の歩行を、健常者の通常の歩行パターンに可能な限り近づけることのできる介護リフト用装着具を提供することにある。
【課題を解決するための手段】
【００１４】
上記の技術的課題は、本発明によれば、基本的には、
要介護者に装着すると共に介護リフトに掛止させて該介護リフトを使って要介護者の体重を免荷しつつ要介護者の歩行を支援するための介護リフト用装着具であって、
要介護者の腹部と背部との間に延びる左右の体重支持ストラップ(6)と、
要介護者の左右の大腿部の各々の周囲に巻回することにより装着可能な、前記体重支持ストラップ(6)が挿通可能なトンネル部(18,19,20)を要介護者の内股部分に備えた大腿部ベルト(16)とを有し、
前記体重支持ストラップ(6)は、要介護者の背部から下方に延びた後に前記大腿部ベルト(16)の前記トンネル部(18,19,20)を通過して要介護者の内股部分を通った後に要介護者の腹部まで上方に延び、
前記トンネル部(18,19,20)は滑り易い内面を有し、前記体重支持ストラップ(6)が要介護者の歩行の際の下肢の動きに追従して前記トンネル部(18,19,20)内を移動可能であることを特徴とする介護リフト用装着具を提供することにより達成される。
【００１５】
すなわち、本発明の介護リフト用装着具によれば、左右一対の体重支持ストラップが大腿部ベルトのトンネル部を通過して内股部分を通るようにしてあるため、要介護者の体重は体重支持ストラップと大腿部ベルトとを介して支持される。したがって、体重支持ストラップが要介護者の下半身に対して過度の圧迫を加えることはない。したがって、従来のように体重支持ストラップが直接的に要介護者の股間に食い込んで過度の圧迫を加えてしまうことを防止することができる。このことは、要介護者の歩行姿勢にも影響を及ぼす。この点について詳しく説明すると、体重支持ストラップが要介護者の股間に過度の圧迫が加わったときには、要介護者の骨盤や股関節の動きを拘束してしまい、このため要介護者はがに股姿勢の足の運びとなるが、体重支持ストラップを大腿部ベルトの例えば内側に設けたトンネル部を通過させるときには、体重支持ストラップが要介護者の股間に食い込むことがないため、要介護者の骨盤や股関節は比較的自由に動くことができる。
【００１６】
また、要介護者の歩行動作に伴う下肢の前後動や座位姿勢、立位姿勢に伴って、体重支持ストラップはトンネル部の中を移動することができるため、要介護者の下肢の前後の動き妨害することはない。
【００１７】
本発明の好ましい実施の形態では、大腿部ベルトの内股部分に設けたトンネル部が第１〜第３の３つに分割され、第１の分割トンネル部が要介護者の前面に位置し、第２の分割トンネル部が要介護者の内股に位置し、第３の分割トンネル部が要介護者の後面に位置している。また、大腿部ベルトのトンネル部を設けた部位がクッション材で構成され、該クッション材の上縁が波形の輪郭を有する。このような構成を採用することにより、大腿部ベルトの内側に設けた３つの分割トンネル部を体重支持ストラップが通過した状態で要介護者の体重を担うことに伴い、大腿部ベルトの内股部分は相対的に上方に持ち上げられる傾向になるが、当該部分がクッション部材で構成され且つその上縁が波形の輪郭を備えることにより、クッション部材の波形の上縁部分が適度に広がることができ、これによりクッション部材は、要介護者の臀筋、座骨、恥骨を下から優しく支える形状になる。
【００２１】
本発明の他の目的及び本発明の作用効果は、以下の実施例の詳細な説明から明らかになろう。
【発明を実施するための最良の形態】
【００２２】
図１、図２は実施例の介護リフト用装着具を示し、図１はその正面図であり、図２は背面図である。介護リフト用装着具１は、要介護者を吊り上げるための主要な強度部材として、上下に延びる左右一対のメインストラップ２と、要介護者の胸の部分を包囲する胸ベルト３と、要介護者の腰の部分を包囲する腰ベルト４とで構成されており、これらメインストラップ２、胸ベルト３、腰ベルト４は、自動車のシートベルトのようにナイロン糸などの素材を平織りした比較的滑り易い伸縮性の無い帯状織物から作られている。
【００２３】
メインストラップ２は、要介護者の腰の部分から上方に位置し且つ上端で折り返されて要介護者の前面と背面に沿って上下に延びる上部ストラップ部分５と、要介護者の腰の部分から下方に延びる体重支持ストラップ部分６とに区分してみることができる。上部ストラップ部分５は、その上端部分を２つ折りにして縫い合わせることにより幅狭に作られ、また、上下に離間した２カ所の水平ライン７、８で縫い合わせることにより２つのリング９、１０、つまり上リング９と下リング１０が形成されている。この上下のリング９又は１０は、要介護者の身長に応じて、そのいずれかを使って後述するリフトに掛止される。
【００２４】
介護リフト用装着具１は、要介護者の体幹部つまり腰から胸までを包囲する上着１２を更に有する。この上着１２は、ショルダー無しのベストの形状又はコルセットの形状を有する。上着１２は、通気性を確保するために、数多くの細かい透孔を備えたメッシュ材料から作られるのが好ましい。
【００２５】
胸ベルト３及び腰ベルト４は上着１２に縫い付けられて、この上着１２と一体化されている。同様に、上部ストラップ部分５も上着１２に縫い付けられており、上着の前面及び背面に沿って延びる前側及び後側の上部ストラップ部分５ａ、５ｂは胸ベルト３と上着１２の前面及び背面とを互いに重ね合わせた状態で縫い付けられおり、また、後側の上部ストラップ部分５ｂは上着の背面と腰ベルト４とを互い重ね合わせた状態で縫い付けられている。換言すれば、前側の上部ストラップ部分５ａは腰ベルト４には縫い付けられておらず、前側の上部ストラップ部分５ａの下端はフリーである。
【００２６】
胸ベルト３及び腰ベルト４は、夫々、バックル１３、１４を有し、このバックル１３、１４は要介護者の前面に位置している。胸ベルト３及び腰ベルト４は、既知のように、バックル１３、１４で折り返された端の長さを調整することにより胸ベルト３及び腰ベルト４の有効長さを調整することができる。
【００２７】
上着１２は前開きであり、この上着１２は面ファスナ（図示せず）を使って前閉じされ、この面ファスナを固定する位置を変えることにより要介護者の体型に合わせることができる。
【００２８】
図３をも参照して、介護リフト用装着具１は、要介護者の大腿部に装着するための大腿部ベルト１６を更に有する。この大腿部ベルト１６は、要介護者の大腿部の外側に位置する部分に面ファスナ１７を有し、この面ファスナ１７で固定する位置を変えることにより大腿部ベルト１６の有効長さを調整することができる。
【００２９】
大腿部ベルト１６は、その内側つまり内股部分に、大腿部ベルト１６の長手方向に間隔を隔てて３つの分割トンネル部１８〜２０を備えている。ナイロン糸などの素材を平織りした伸縮性の無い帯状織物を幅方向に折り畳んだ状態で縫製された幅狭の帯を２つ折りにして、その開放端を大腿部ベルト１６に縫い付けることにより各分割トンネル部１８〜２０が作られている。分割トンネル部１８〜２０は、例えば樹脂加工を施して滑り易くした内面を有するのが好ましい。第１の分割トンネル部１８は大腿部ベルト１６の前側に配設され、第２の分割トンネル部１９は大腿部ベルト１６の内側つまり内股部分に配設され、第３の分割トンネル部２０は大腿部ベルト１６の後側に配設されている。
【００３０】
大腿部ベルト１６は、第１〜第３の分割トンネル部１８〜２０を設けた内股部分２２がクッション材料で構成されている。より詳しくは、大腿部ベルト１６の内股部分２２は、芯材としてポリエチレンフォームを採用し、その表面を滑りの良いナイロン製の布地で覆って縫製することにより作られている。変形例として、伸縮性を備えたウレタンゴムを内蔵したパイル生地を内股部分２２の内面及び外面に縫い付けるようにしてもよい。大腿部ベルト１６は内股部分２２を除く他の部位２３が、サポーターと通称される伸縮可能な且つ装着部位を適度に締め付けることのできる素材、つまりゴムなどを含む伸縮性素材から作られている。クッション部材で構成された内股部分２２は、その上縁の縁取り２２ａが図３から分かるように波形の輪郭を有している。なお、この波形の上縁２２ａは図１、図２では図示を省略してある。
【００３１】
大腿部ベルト１６は、その外側に位置する部分が上方に延びる帯状の拡大部分２４を有し、この拡大部分２４は、その上端部分に面ファスナ２５を備えている。
【００３２】
上述した腰ベルト３には、その両側部に第２の短尺ストラップ２６の上端が縫い付けられており、この第２の短尺ストラップ２６の下端には折り返し用金具２７が取り付けられている。大腿部ベルト１６の帯状の拡大部分２４の上端部分は、挿通金具２７を通過した後に面ファスナ２５を使って固定することにより実質的な長さ寸法を調整することができ、これにより拡大部分２４に適度な張力を与えた状態でセットすることができる。この大腿部ベルト１６の帯状の拡大部分２４は、要介護者の臀部の側部に位置する側方懸垂部材を構成して、上着１２と大腿部ベルト１６の本体との間に適度な張力を与えることができ、これにより要介護者の骨盤の動きが下肢に伝達される。すなわち、要介護者の骨盤の回旋や上下運動、後傾や前傾運動が伸縮可能な帯状拡大部分２４によって下肢に伝達することができる。また、この拡大部分２４（側方懸垂部材）は、要介護者Ｓの臀部の側方で上下方向の張力を要介護者Ｓに対して付与することで、要介護者Ｓの内股部分を通過した体重支持ストラップ部分６とのバランスを取ることができ、これによりリフトで吊り上げられた要介護者Ｓの歩行や立位などの動作を自然に近いものにすることができる。
【００３３】
例えば大腿骨の頸部を骨折した要介護者Ｓを早期に歩行訓練させるのであれば、術瘡部を保護するために、伸縮可能な拡大部分２４の内側にお椀状の保護部材や例えばゲル状のクッション材を脱着可能に設け、要介護者Ｓの臀部の側面と拡大部分２４（側方懸垂部材）との間にクッション材などを介在させるようにしてもよい。これによれば、術後の早い段階で術瘡を保護しながら要介護者Ｓの歩行訓練を開始することができる。
【００３４】
要介護者の前面及び背面にそって上下に延びる前側及び後側の上部ストラップ部分５ａ、５ｂのうち後側の上部ストラップ５ｂは、要介護者の腰の部分から下方が体重支持ストラップ部分６に連なり、この体重支持ストラップ部分６はその一部６ａを絞り込んだ形状に縫製されている。体重支持ストラップ部分６の絞り込んだ部分６ａは上述したトンネル部１８〜２０を通過した後に上方に延び、その上端つまり自由端が、要介護者の前面に沿って延びる前側の上部ストラップ部分５ａの下端とバックル２９を介して連結可能である。
【００３５】
上述した介護リフト用装着具１は、図４〜図６から理解できるように、要介護者Ｓを例えばベッドの側縁に端座りさせた状態で、介護者Ｃの手で先ず上着１２を着せ、次いで、胸ベルト３及び腰ベルト４をバックル１３、１４で固定する（図４）。この作業は、介護者Ｃが要介護者Ｓの前方に位置しながら行うことができる。
【００３６】
次いで、要介護者Ｓの大腿部に大腿部ベルト１６を巻き付けて面ファスナ１７で固定し（図５）、その次に、体重支持ストラップ部分６の端を手にして、この体重支持ストラップ部分６の自由端を前側の上部ストラップ部分５ａの下端にバックル２９で連結する（図６）。
【００３７】
前側の上部ストラップ部分５ａは、その下端が要介護者Ｓの臍の両側に位置する高さ位置まで延びており、この前側の上部ストラップ部分５ａは、その下端の近傍まで上着１２に縫い付けられて上着１２と一体化されている。したがって、この前側の上部ストラップ部分５ａの下端と体重支持ストラップ部分６の自由端とを連結するバックル２９は、要介護者Ｓの臍の側方に位置している。
【００３８】
以上の作業で、要介護者Ｓに介護リフト用装着具１を身に付けさせることができる。当業者であれば、この説明から理解できるように、実施例の介護リフト用装着具１にあっては、要介護者Ｓの腰を浮かせたり動かしたりする必要はなく、したがって、介護リフト用装着具１を要介護者Ｓに装着するのに介護者Ｃは大した労力を必要としない。
【００３９】
また、メインストラップ２、胸ベルト３、腰ベルト４が縫い込まれている上着１２を着用した要介護者Ｓに胸ベルト３及び腰ベルト４をしっかり固定することにより、要介護者Ｓをリフトで吊り上げたときの上着１２のずり上がりを防止することができる。また、上着１２が要介護者Ｓの脇の下と当接する部分に、クッション材からなる脇パッド３０（図１など参照）を設けることにより上着１２のずり上がりに伴う要介護者Ｓの不快感を防止することができる。
【００４０】
要介護者Ｓの体型や身長差などは、上着１２の面ファスナ、胸ベルト３及び腰ベルト４のバックル１３、１４のベルト長さの調整により吸収することができる。また、要介護者Ｓを吊り上げる左右のメインストラップ２の各々が、体重支持ストラップ部分６を含めて連続した一本のテープ材料で作られているため、要介護者Ｓの体重をメインストラップ２によって効率的に支持することができる。また、要介護リフト用装着具１にあっては、従来のようにストラップで要介護者Ｓを吊り上げるという視点だけでなく、メインストラップ２に関連付けられた、胸ベルト３、腰ベルト４及び要介護者Ｓの上半身を包囲する上着１が一緒になって要介護者Ｓの上半身の全体に包み込みながら吊り上げるようにしてあるため、要介護者Ｓの局部に部分的に圧迫力が集中することを回避することができる。
【００４１】
介護リフト用装着具１を身に付けた要介護者Ｓは、要介護者Ｓの両肩からフリーになる左右のメインストラップ２の上端の上段リング９又は下段リング１０を両耳の側方の近傍に位置させて、その何れか一方のリング９（１０）を例えば医療施設や介護施設などに多く見られる天井に移動可能に設置されたリフトのハンガー形フック３２（図７）に掛止して吊り上げることにより、歩行訓練を行うことができる。要介護者Ｓをリフトで吊り上げた状態で歩行させるには、前方方向の推進力を損なわない配慮が必要となる。このことから、上段リング９、下段リング１０は、リフトで要介護者Ｓを吊り上げたときに、要介護者Ｓが若干前傾姿勢となるように、要介護者Ｓの肩中心から、例えば約２cm後方に位置するように設定するのが好ましく、メインストラップ２が要介護者Ｓの胸を圧迫するのを和らげるために、要介護者Ｓの胸がメインストラップ２と当接する部分に胸パッド３４（図１などを参照）が設けるのが好ましい。
【００４２】
要介護者Ｓの足の運び及び足の向きが例えば外側に開く傾向にあるときには、例えば、左側の体重支持ストラップ部分６の自由端を右側の上部ストラップ部分５ａの下端に連結し、右側の体重支持ストラップ部分６の自由端を左側の上部ストラップ部分５ａの下端に連結して、左右の体重支持ストラップ部分６、６を要介護者Ｓの下腹部でクロスさせるようにしてもよく、これにより要介護者Ｓの足の運び及び足の向きを矯正することができる。
【００４３】
図８〜図１０は、歩行訓練に好適なリフト機能付き歩行車を示す。このリフト機能付き歩行車４０は、左右一対のフットフレーム４１、４１を有し、このフットフレーム４１は、要介護者Ｓの側方に位置して前後方向に延びている。左右のフットフレーム４１、４１の前端部分を互いに連結するプレート４２には左右一対のメイン支柱４３、４３及びボックス４４が固設され、このボックス４４内には、バッテリーやウインチ（図示せず）などが搭載されている。
【００４４】
メイン支柱４３はその上下方向長さが要介護者Ｓの身長よりも若干高く、メイン支柱４３の上端には、後方に延びる水平アーム４５が固設され、この水平アーム４５の後端は要介護者Ｓの耳の上方に位置している。変形例として、メイン支柱４３の上部を後方に湾曲させて、メイン支柱４３の上端が要介護者Ｓの耳の上方に位置するようにしてもよい。
【００４５】
水平アーム４５の後端から要介護者Ｓを吊り上げるためのワイヤ又は強化ベルト４６が垂下して、その下端にフック４７が取り付けられている。ワイヤ又は強化ベルト４６は、水平アーム４５及びメイン支柱４３の中を通過してウインチに関連付けられており、ウインチの動作によってフック４７を上下動させることができる。
【００４６】
リフト機能付き歩行車４０は要介護者Ｓの前腕を載せることのできる肘掛け４８を有し、その前端にはハンドル４９が設けられている。
【００４７】
この肘掛け４８は、フットフレーム４１の前後方向中間部分から起立する中間支柱５０の上端に固設されており、中間支柱５０はその長さ寸法が調整可能であり、肘掛け４８の高さ位置を要介護者Ｓの使い勝手のよい高さに調整することができる。
【００４８】
フットフレーム４１には、その前端と後端に前側キャスター５１、後側キャスター５２が設けられている。これら前側及び後側のキャスター５１、５２は自由に向きを変えることができ、また、ストッパ機能を有する。フットフレーム４１の中間部分には、追加の車輪５３が設けられている。この追加の車輪５３はその走行方向が前後方向となるように配向された状態でフットフレーム４１に取り付けられている。この追加の車輪５３は接地面が前側及び後側のキャスター５１、５２の接地面よりも若干低位となるようにその高さ位置が設定されている。すなわち、前側キャスター５１と後側キャスター５２はその接地面が共通の水平面となるように設定されており、追加の車輪５３はこれよりも約２mmだけ低位に接地するように設定されている。
【００４９】
要介護者Ｓは、肘掛け４８に前腕を載せて体重の一部を預けながらハンドル４９を握り、歩行車４０の向きを変えるように動作することにより、要介護者Ｓの体重を実質的に担っている追加の車輪５３を中心に歩行車４０の走行方向を変えることができる。
【００５０】
リフト機能付き歩行車４０は、その前部に略水平位置と略垂直位置とを取ることのできる足載せ台５５を有し、この足載せ台５５に足を載せることにより、介護者Ｃが歩行車４０の前端に設けられた操作ハンドル５７を握って歩行車４０を引っ張って要介護者Ｓを搬送することができる（図１０）。足載せ台５５に足を載せたときに要介護者Ｓの膝を受け止めるための膝パッド５８をボックス４４の後面に設けるのが好ましい。なお、フック４７の上げ下げは、手持ち式コントローラ５９を使って行うことができる。
【００５１】
以上、リフト機能付き歩行車４０を図面に基づいて説明したが、以下の変形例であってもよい。
（１）メイン支柱４３を昇降可能にし、これをアクチュエータ又は手動で動作させて、要介護者Ｓの身長に応じてメイン支柱４３の有効高さ寸法を変化させるようにしてもよい。
（２）メイン支柱４３を昇降動させるようにした場合には、メイン支柱４３の上端（水平アーム４５の後端）に、この上端から直接的に垂下するフック４７を取り付けるようにしてもよい。
（３）メイン支柱４３を昇降動させるようにした場合には、要介護者Ｓの身長に応じたメイン支柱４３の有効高さ寸法にセットした後に、ウインチを作動させてフック４７を上昇動作させて要介護者Ｓを吊り上げるようにしてもよい。
（４）ウインチの代わりにフック４７の上下動を手動で行うようにしてもよい。
【図面の簡単な説明】
【００５２】
【図１】介護リフト用装着具の正面図である。
【図２】介護リフト用装着具の背面図である。
【図３】介護リフト用装着具の一部を構成する大腿部ベルトの正面図である。
【図４】要介護者に介護リフト用装着具を取り付ける過程を説明するための図である。
【図５】要介護者に介護リフト用装着具を取り付ける過程を説明するための図である。
【図６】要介護者に介護リフト用装着具を取り付ける過程を説明するための図である。
【図７】介護リフト用装着具を身に付けた要介護者が例えば医療施設のリフトを使って歩行訓練を行っている様子を説明するための図である。
【図８】要介護者が歩行訓練するのに都合の良いリフト機能付き歩行車の斜視図である。
【図９】介護リフト用装着具を身に付けた要介護者が図８のリフト機能付き歩行車を使って歩行訓練を行っている様子を説明するための図である。
【図１０】介護リフト用装着具を身に付けた要介護者が図８のリフト機能付き歩行車を使って搬送される様子を説明するための図である。
【符号の説明】
【００５３】
１      介護リフト用装着具
２      メインストラップ
３      胸ベルト
４      腰ベルト
５      上部ストラップ部分
５ａ    前側の上部ストラップ部分
５ｂ    後側の上部ストラップ部分
６      体重支持ストラップ部分
９      上段リング
１０    下段リング
１２    上着
１３    胸ベルトのバックル
１４    腰ベルトのバックル
２９    メインストラップのバックル
１６    大腿部ベルト
１８    前側の分割トンネル部
１９    内股部分の分割トンネル部
２０    外側の分割トンネル部
２２ａ  波形輪郭の上縁
２４    大腿部ベルトの拡大部分（側方懸垂部材）
３０    脇パッド
３４    胸パッド
４０    リフト機能付き歩行車
４１    フットフレーム
４３    メイン支柱
４５    水平アーム
４７    フック
４８    肘掛け
４９    ハンドル
５０    中間支柱
５１    前側キャスター
５２    後側キャスター
５３    追加の車輪
５５    足載せ台
５８    膝パッド
Ｃ    介護者
Ｓ    要介護者
【図１】
0004697623.tif 000002
【図２】
0004697623.tif 000003
【図３】
0004697623.tif 000004
【図４】
0004697623.tif 000005
【図５】
0004697623.tif 000006
【図６】
0004697623.tif 000007
【図７】
0004697623.tif 000008
【図８】
0004697623.tif 000009
【図９】
0004697623.tif 000010
【図１０】
0004697623.tif 000011